(57)【要約】　　　（修正有）【課題】火災発生初期、濃い煙が生成される際に、濃い煙の目と鼻と口に対する危害を減少でき、命を救うチャンスを大幅に向上できる、火災の濃い煙より逃れる際に使用される目口マスクを提供する。【解決手段】目口マスク本体１と液体袋２を包装袋３内に密封し、且つ目口マスクには口マスク本体と目マスク本体と束縛帯とを含み、目マスク本体が口マスク本体の上側に連接され、且つ目マスク本体が透明材のプラスチックフィルムによって形成され、目口マスク本体と液体袋とを包装袋内に密封することによって、火災発生初期において大量の濃い煙が生じる場合に、人員が力を入れて包装袋を打つことによって液体袋を破裂させてから包装袋を打開すると、濡れた目口マスク本体を取得でき、それを目と鼻と口に覆うことによって濃い煙の危害を減少でき、人員が眩暈を生じることはなく火災現場から逃れられるチャンスを大幅に向上できる。【選択図】　　　図１
0003097357.tif 000002
【実用新案登録請求の範囲】
【請求項１】
口マスク本体と目マスク本体と束縛帯とからなり、前記目マスク本体が前記口マスク本体の上部に設けられ、且つ前記目マスク本体が透明材のプラスチックフィルムからなり、且つ前記束縛帯が前記口マスク本体の両側の周縁部に連結されるようにした目口マスク本体と、
液体袋と、
前記目口マスク本体と前記液体袋が使用される前に密封的に収納される包装袋とを少なくとも有する火災の濃い煙から逃れる際に使用される目口マスク。
【請求項２】
前記目口マスク本体の内部が発泡スポンジからなり、また、その表面に布材によって覆うことを特徴とする請求項１に記載の火災の濃い煙から逃れる際に使用される目口マスク。
【請求項３】
前記口マスク本体が発泡スポンジからなることを特徴とする請求項１に記載の火災の濃い煙から逃れる際に使用される目口マスク。
【請求項４】
前記口マスク本体が布材からなることを特徴とする請求項１に記載の火災の濃い煙から逃れる際に使用される目口マスク。
【請求項５】
前記口マスク本体の周縁部にストッパーが設けられ、それによって液体が口マスク本体の周縁部より逸脱することを防止することを特徴とする請求項１に記載の火災の濃い煙から逃れる際に使用される目口マスク。
【請求項６】
前記口マスク本体の上縁部が前記目マスク本体の下側周縁部を封じることを特徴とする請求項１に記載の火災の濃い煙から逃れる際に使用される目口マスク。
【考案の詳細な説明】
【０００１】
【考案の属する技術分野】
本考案は、火災の濃い煙から逃れる際に使用される目口マスクに係わり、特に火災発生初期に発生される大量の濃い煙の中で使用される、人員が迅速的に大量の水分を取得できる目口マスクに関し、それによって目と口と鼻を遮蔽することによって濃い煙による危害を減少する目的を図る。
【０００２】
【従来の技術】
われわれの生活中において火災が頻繁に誘発され、人員がそのため火災現場で死亡することがニュースよりよく伝わってきた。一般に、火災の発生中において、初期と成長期と最盛期との三つの段階に分けられ、そのうち、火災発生初期では火花が生じ、且つ大量の濃い煙が生成され、成長期や最盛期に入ると、火花が延焼し始め、且つ温度も迅速的に向上され、火災現場で死亡する人員が大部分が焦げる状態に燃焼されるが、実際的に死亡を引き起こすのは直接的に延焼することのよるものでなく（即ち、死亡原因が直接的に火災の成長期と最盛期の場合で生じるものではないと意味する）、火災発生初期において燃焼することによる大量の濃い煙が生じたことによるのが多く、成長期と最盛期に入ると火花が迅速的に延焼し始める。そのため、実際の場合では、一般に火災現場で死亡する人員は大体火災の初期中に濃い煙に襲われて意識不明になったり、酸素欠如になったりし、呼吸器官の作用不能によって窒息してしまい、または視野が煙によって遮蔽されたりして逃れられないようになってしまうことが多い。そのため、火災初期に既に行動能力を失ってしまい、火災現場で死亡に至ったのである。それに対して延焼によって命をなくすことは少ない。
【０００３】
一般に、火災初期の場合では、濃い煙を吸い込まないように大体タオルに水をかけ、それによって口と鼻を遮蔽し、濃い煙による危害を減少するようにするが、その場合では水源へ行く経路が遮断されると、水源を取得するにはかなり時間がかかり、逃れるチャンスを減少してしまい、且つタオルをまず探し出す必要もあるので、逃れることがしばしば遅延され、命を救うチャンスが少なくなってしまう場合が多い。また、濃い煙も視野を妨害するので、逃れるチャンスがさらに減少されてしまう。
【０００４】
【考案が解決しようとする課題】
本考案は、火災発生初期、濃い煙が生成される際に、濃い煙の目と鼻と口に対する危害を減少でき、命を救うチャンスを大幅に向上できる、火災の濃い煙より逃れる際に使用される目口マスクを提供することをその主要的な目的とする。
【０００５】
【課題を解決するための手段】
前記の目的を図るために、本考案は火災の濃い煙より逃れる際に使用される目口マスクを提供し、主に目口マスク本体と液体袋を一斉に包装袋内に密封し、且つ前記目口マスクには口マスク本体と目マスク本体と束縛帯とを含み、前記目マスク本体が前記口マスク本体の上側に連接され、且つ前記目マスク本体が透明材のプラスチックフィルムによって形成され、且つ前記束縛帯が前記口マスク本体の両側の周縁部に連接され、前記目口マスク本体と液体袋とを一斉に包装袋内に密封することによって、火災発生初期において大量の濃い煙が生じる場合に、人員が力を入れて前記包装袋を打つことによって前記液体袋を破裂させてから包装袋を打開すると、迅速的に濡れた目口マスク本体を取得でき、迅速的にそれを目と鼻と口に覆うことによって濃い煙の危害を減少でき、人員が眩暈を生じることはなく、且つ効果的に視覚機能を利用できるので、火災現場から逃れられるチャンスを大幅に向上される。
【０００６】
本考案の特徴と技術内容を詳細的に解明させるために、以下に添付図面を参照しながら本考案の具体的な実施の形態を詳細的で具体的に説明するが、それらの説明と図面に開示される具体的な構造は単に本考案のある実施可能な実施の形態に過ぎず、本考案の主張範囲を狭義的に制限するものではない。
【０００７】
【考案の実施の形態】
図１は本考案の火災の濃い煙より逃れる際に使用される目口マスクを示す説明図であり、本考案による目口マスク１には、主に口マスク本体１１と目マスク本体１２と束縛帯１３とを含み、口マスク本体１１の内部部分が吸収力が強く、通気性が好ましい発泡スポンジ１１２よりなり、また、布材１１１によって発泡スポンジ１１２の外部を包囲し、口マスク本体１１に大量の液体を吸収する性能と優れた通気性を有する性能を有させるようにする。且つ口マスク本体１１の周縁部にストッパー１１４が緊密的に圧着封じされ、それによって液体が口マスク本体１１の周縁部より逸脱することを防止する効果を達成する。
【０００８】
口マスク本体１１の上側の周縁部に目マスク本体１２の下側周縁部が結合され、目マスク本体１２を口マスク本体１１の上側に連接するようにし、目マスク本体１２は透明材のプラスチックフィルムによって形成され、ユーザーが包装袋３より取り出す場合に、手で濡れた目マスク本体１２を下周縁部より口マスク本体１１の上側上方へ曲げ（図３と図４参照）、口マスク本体１１が口と鼻とを覆うと共に、束縛帯１３を耳部にかけると、両手で目マスク本体１２を中心部位より周辺部に平たく伏せさせ、目マスク本体１２と目の周囲の皮膚と貼り付け付着させ、且つ目と目マスク本体１２との間の区域に濃い煙が侵入できない密閉エリアを形成し、眼マスクの機能を生じ、ユーザーが快速的に火災現場より逃れる能力を向上できる。
【０００９】
また、口マスク本体１１の両側の周縁部の隅部に二本の束縛帯同士１３が設けられ（図３参照）、ユーザーの耳部にかけることに供し、それらによってまく地マスク本体１の口マスク本体１１と目マスク本体１２とをユーザーの目と口と鼻とに覆うようにし、または単に口マスク本体１１の両側の周縁部の隅部に一本の束縛帯１３を設け（図４参照）、ユーザーに頭部にかけることに供し、それによって同様に目と鼻と口とを覆う機能を達成できる。口マスク本体１１の上下周縁部に湾曲変形位置決められる可とう性リブ１１３が設けられ、可とう性リブ１１３がプラスチック製リブや金属性リブなどを採用でき、ユーザーがまく地マスク本体１をかける場合、口マスク本体１１の上下周縁部を押すことによって口マスク本体１１の上下周縁部をユーザーの顔の上下輪郭に沿って付着させると、口マスク本体１１の上下周縁部がユーザーの顔の表面の凹凸形状により隙間５を生成することはなく、濃い煙がそのような隙間よりユーザーの目と鼻と口に侵入することを防止できる。
【００１０】
【考案の効果】
本考案の目口マスク本体１と液体袋２とが使用される前に包装袋３内に密封収納され、火災が生じると、ユーザーが包装袋３を叩き打つことによって液体袋２に破裂させ、液体袋２内の液体が流出後に、包装袋３を打開すると、迅速的に濡れた目口マスク本体１を取得でき、ユーザーがそれを目と鼻と口とを覆うことができ、濃い煙によるそれら器官に対する侵害を防止でき、人員が煙の影響によって眩暈を生じたりすることを減少でき、且つ効果的に視覚機能を利用できるので、現場から逃れる能力を向上できる。
【図面の簡単な説明】
【図１】本考案の目口マスク構造の打開以前の状態を示す説明図である。
【図２】本考案の目口マスク構造の打開以前の状態を示す側面断面図である。
【図３】本考案の目口マスク構造を示す説明図である。
【図４】本考案の目口マスク構造の他の実施の形態を示す説明図である。
【図５】本考案の目口マスク構造の実施の形態を示す平面図である。
【符号の説明】
１　　　目口マスク本体
２　　　液体袋
３　　　包装袋
５　　　隙間
１１　　口マスク本体
１２　　目マスク本体
１３　　束縛帯
１１１　布材
１１２　発泡スポンジ
１１３　可とう性リブ
１１４　ストッパー
【図１】
0003097357.tif 000003
【図２】
0003097357.tif 000004
【図３】
0003097357.tif 000005
【図４】
0003097357.tif 000006
【図５】
0003097357.tif 000007
【手続補正書】
【提出日】平成15年6月16日(2003.6.16)
【手続補正１】
【補正対象書類名】明細書
【補正対象項目名】全文
【補正方法】変更
【補正の内容】
【考案の詳細な説明】
【実用新案登録請求の範囲】
【請求項１】口マスク本体と目マスク本体と束縛帯とからなり、前記目マスク本体が前記口マスク本体の上部に設けられ、且つ前記目マスク本体が透明材のプラスチックフィルムからなり、且つ前記束縛帯が前記口マスク本体の両側の周縁部に連結されるようにした目口マスク本体と、
液体を収容した液体袋と、
前記目口マスク本体と前記液体袋とを密封的に収納した包装袋とからなり、該液体袋は使用に際し包装袋を打たれることにより破裂しマスク本体を液体で濡らすよう構成したことを特徴とする火災の濃い煙から逃れる際に使用される目口マスク。
【請求項２】前記目口マスク本体の内部が発泡スポンジからなり、また、その表面に布材によって覆うことを特徴とする請求項１に記載の火災の濃い煙から逃れる際に使用される目口マスク。
【請求項３】前記口マスク本体が発泡スポンジからなることを特徴とする請求項１に記載の火災の濃い煙から逃れる際に使用される目口マスク。
【請求項４】前記口マスク本体が布材からなることを特徴とする請求項１に記載の火災の濃い煙から逃れる際に使用される目口マスク。
【請求項５】前記口マスク本体の周縁部にストッパーが設けられ、それによって液体が口マスク本体の周縁部より逸脱することを防止することを特徴とする請求項１に記載の火災の濃い煙から逃れる際に使用される目口マスク。
【請求項６】前記口マスク本体の上縁部が前記目マスク本体の下側周縁部を封じることを特徴とする請求項１に記載の火災の濃い煙から逃れる際に使用される目口マスク。
【考案の詳細な説明】
【０００１】
【考案の属する技術分野】
本考案は、火災の濃い煙から逃れる際に使用される目口マスクに係わり、特に火災発生初期に発生される大量の濃い煙の中で使用される、人が迅速的に大量の水分を取得できる目口マスクに関し、それによって目と口と鼻を遮蔽することによって濃い煙による危害を減少する目的を図る。
【０００２】
【従来の技術】
われわれの生活中において火災が頻繁に誘発され、人がそのため火災現場で死亡することがニュースよりよく伝わってきた。一般に、火災の発生中において、初期と成長期と最盛期との三つの段階に分けられ、そのうち、火災発生初期では火花が生じ、且つ大量の濃い煙が生成され、成長期や最盛期に入ると、火花が延焼し始め、且つ温度も迅速的に向上され、火災現場で死亡する人が大部分が焦げる状態に燃焼されるが、実際的に死亡を引き起こすのは直接的に延焼することのよるものでなく（即ち、死亡原因が直接的に火災の成長期と最盛期の場合で生じるものではないと意味する）、火災発生初期において燃焼することによる大量の濃い煙が生じたことによるのが多く、成長期と最盛期に入ると火花が迅速的に延焼し始める。そのため、実際の場合では、一般に火災現場で死亡する人は大体火災の初期中に濃い煙に襲われて意識不明になったり、酸素欠如になったりし、呼吸器官の作用不能によって窒息してしまい、または視野が煙によって遮蔽されたりして逃れられないようになってしまうことが多い。そのため、火災初期に既に行動能力を失ってしまい、火災現場で死亡に至ったのである。それに対して延焼によって命をなくすことは少ない。
【０００３】
一般に、火災初期の場合では、濃い煙を吸い込まないように大体タオルに水をかけ、それによって口と鼻を遮蔽し、濃い煙による危害を減少するようにするが、その場合では水源へ行く経路が遮断されると、水源を取得するにはかなり時間がかかり、逃れるチャンスを減少してしまい、且つタオルをまず探し出す必要もあるので、逃れることがしばしば遅延され、命を救うチャンスが少なくなってしまう場合が多い。また、濃い煙も視野を妨害するので、逃れるチャンスがさらに減少されてしまう。
【０００４】
【考案が解決しようとする課題】
本考案は、火災発生初期、濃い煙が生成される際に、濃い煙の目と鼻と口に対する危害を減少でき、命を救うチャンスを大幅に向上できる、火災の濃い煙より逃れる際に使用される目口マスクを提供することをその主要的な目的とする。
【０００５】
【課題を解決するための手段】
前記の目的を図るために、本考案は火災の濃い煙より逃れる際に使用される目口マスクを提供し、主に目口マスク本体と液体袋を共に包装袋内に密封し、且つ前記目口マスクには口マスク本体と目マスク本体と束縛帯とを含み、前記目マスク本体が前記口マスク本体の上側に連接され、且つ前記目マスク本体が透明材のプラスチックフィルムによって形成され、且つ前記束縛帯が前記口マスク本体の両側の周縁部に連接され、前記目口マスク本体と液体袋とを共に包装袋内に密封することによって、火災発生初期において大量の濃い煙が生じる場合に、人が力を入れて前記包装袋を打つことによって前記液体袋を破裂させてから包装袋を打開すると、迅速的に濡れた目口マスク本体を取得でき、迅速的にそれを目と鼻と口に覆うことによって濃い煙の危害を減少でき、人が眩暈を生じることはなく、且つ効果的に視覚機能を利用できるので、火災現場から逃れられるチャンスを大幅に向上される。
【０００６】
本考案の特徴と技術内容を詳細的に解明させるために、以下に添付図面を参照しながら本考案の具体的な実施の形態を詳細的で具体的に説明するが、それらの説明と図面に開示される具体的な構造は単に本考案のある実施可能な実施の形態に過ぎず、本考案の主張範囲を狭義的に制限するものではない。
【０００７】
【考案の実施の形態】
図１に示すように、本考案は火災の濃い煙より逃れる際に使用される目口マスクを提供し、それには目口マスク１と、液体袋２と、包装袋３とを含み、前記目口マスク１と液体袋２とが使用される前に包装袋３内に密封され、前記液体袋２は内部に液体（例えばピュア・ウォータなど）が収納される袋である。また、図２ないし図５に示すように、前記目口マスク１には、主に口マスク本体１１と目マスク本体１２と束縛帯１３とを含み、口マスク本体１１の内部部分が吸収力が強く、通気性が好ましい発泡スポンジ１１２よりなり、また、布材１１１によって発泡スポンジ１１２の外部を包囲し、口マスク本体１１に大量の液体を吸収する性能と優れた通気性を有する性能を有させるようにする。且つ口マスク本体１１の周縁部にストッパー１１４が緊密的に圧着封じされ、それによって液体が口マスク本体１１の周縁部より逸脱することを防止する効果を達成する。
【０００８】
口マスク本体１１の上側の周縁部に目マスク本体１２の下側周縁部が結合され、目マスク本体１２を口マスク本体１１の上側に連接するようにし、目マスク本体１２は透明材のプラスチックフィルムによって形成され、ユーザーが包装袋３より取り出す場合に、手で濡れた目マスク本体１２を下周縁部より口マスク本体１１の上側上方へ曲げ（図３と図４参照）、口マスク本体１１が口と鼻とを覆うと共に、束縛帯１３を耳部にかけると、両手で目マスク本体１２を中心部位より周辺部に平たく伏せさせ、目マスク本体１２と目の周囲の皮膚と貼り付け付着させ、且つ目と目マスク本体１２との間の区域に濃い煙が侵入できない密閉エリアを形成し、眼マスクの機能を生じ、ユーザーが快速的に火災現場より逃れる能力を向上できる。
【０００９】
また、口マスク本体１１の両側の周縁部の隅部に二本の束縛帯同士１３が設けられ（図３参照）、ユーザーの耳部にかけることに供し、それらによってまく地マスク本体１の口マスク本体１１と目マスク本体１２とをユーザーの目と口と鼻とに覆うようにし、または単に口マスク本体１１の両側の周縁部の隅部に一本の束縛帯１３を設け（図４参照）、ユーザーに頭部にかけることに供し、それによって同様に目と鼻と口とを覆う機能を達成できる。口マスク本体１１の上下周縁部に湾曲変形位置決められる可とう性リブ１１３が設けられ、可とう性リブ１１３がプラスチック製リブや金属性リブなどを採用でき、ユーザーがまく地マスク本体１をかける場合、口マスク本体１１の上下周縁部を押すことによって口マスク本体１１の上下周縁部をユーザーの顔の上下輪郭に沿って付着させると、口マスク本体１１の上下周縁部がユーザーの顔の表面の凹凸形状により隙間５を生成することはなく、濃い煙がそのような隙間よりユーザーの目と鼻と口に侵入することを防止できる。
【００１０】
【考案の効果】
本考案の目口マスク本体１と液体袋２とが使用される前に包装袋３内に密封収納され、火災が生じると、ユーザーが包装袋３を叩き打つことによって液体袋２を破裂させ、液体袋２内の液体が流出後に、包装袋３を打開すると、迅速的に濡れた目口マスク本体１を取得でき、ユーザーがそれを目と鼻と口とを覆うことができ、濃い煙によるそれら器官に対する侵害を防止でき、人が煙の影響によって眩暈を生じたりすることを減少でき、且つ効果的に視覚機能を利用できるので、現場から逃れる能力を向上できる。
【図面の簡単な説明】
【図１】本考案の目口マスク構造の打開以前の状態を示す説明図である。
【図２】本考案の目口マスク構造の打開以前の状態を示す側面断面図である。
【図３】本考案の目口マスク構造を示す説明図である。
【図４】本考案の目口マスク構造の他の実施の形態を示す説明図である。
【図５】本考案の目口マスク構造の実施の形態を示す平面図である。
【符号の説明】
１　　　目口マスク本体
２　　　液体袋
３　　　包装袋
５　　　隙間
１１　　口マスク本体
１２　　目マスク本体
１３　　束縛帯
１１１　布材
１１２　発泡スポンジ
１１３　可とう性リブ
１１４　ストッパー